(57)【要約】  【課題】  草の絡まりを抑制できる草刈刃、および草刈刃に取り付ける取付部材を提供する。  【解決手段】  草刈刃１は、草刈機３に取り付けて用いられるものであって、略円形の板状の本体部１１と、複数の刃部１３と、を有する。草刈刃１は、貫通孔２１の周辺は比較的平坦であるが、外周側に向かうに連れて湾曲し、外周に向けて下側へ傾斜した傾斜面となっている。より具体的には、本体部１１では比較的なだらかに湾曲し、本体部１１と刃部１３との連結箇所近傍で比較的急角度で湾曲する。【選択図】図４
2013106576.tif 000002
【特許請求の範囲】
【請求項１】
外周に複数の刃部を有する草刈機用の草刈刃であって、
当該草刈刃の少なくとも一部には、外周に向かい下側に傾斜する傾斜面が形成されている
ことを特徴とする草刈刃。
【請求項２】
前記刃部は、前記草刈刃の外周方向の端部に刃の形成されていない保護部が設けられている
ことを特徴とする請求項１に記載の草刈刃。
【請求項３】
前記刃部は、前記保護部が前記刃よりも前方に突出するように構成されている
ことを特徴とする請求項２に記載の草刈刃。
【請求項４】
前記傾斜面は、前記刃部に形成されている
ことを特徴とする請求項１から請求項３のいずれか１項に記載の草刈刃。
【請求項５】
草刈機に取り付けて用いられる取付部材であって、
前記草刈刃の上面側において固定され、前記草刈刃と一体に回転する基部と、
前記基部に連接され、前記草刈刃の外周に向かい下側に傾斜する傾斜面を有する傾斜部と、を有する
ことを特徴とする取付部材。
【請求項６】
前記草刈刃は、平板状の本体部に貫通孔が形成されており、当該貫通孔を用いて前記草刈機の回転駆動軸と連結可能であり、
前記基部には、前記本体部の上面側に配置された際に、前記貫通孔に沿う孔部が形成される
ことを特徴とする請求項５に記載の取付部材。
【請求項７】
請求項１から請求項４のいずれか１項に記載の草刈刃を備える草刈機。
【請求項８】
請求項５または請求項６に記載の取付部材を備える草刈機。
【発明の詳細な説明】
【技術分野】
【０００１】
本発明は、雑草を刈り取る草刈機に関するものであり、特に、外周に複数の刃部を有する草刈刃に関する。
【背景技術】
【０００２】
手持ち式の草刈機として、操作用のハンドルとエンジンなどの原動機を有し、先端部には原動機によって駆動される草刈刃を有するものが用いられている。
従来この草刈刃は、全体として平面板状であって外周に複数の刃が形成してなるものが多く用いられていたが、刃や草刈刃全体が上方に湾曲するように構成された草刈刃も提案されている（特許文献１，２参照）。
【０００３】
また、刃の破損を抑制するために、刃の先端に非刃部を形成した草刈刃も提案されている（特許文献３参照）。
【先行技術文献】
【特許文献】
【０００４】
【特許文献１】特開平５−９１８１４号公報
【特許文献２】特開平６−２８４８０９号公報
【特許文献３】特開２００１−４５８３３号公報
【発明の概要】
【発明が解決しようとする課題】
【０００５】
従来の草刈刃では、刈り取った草が草刈刃の上に乗りやすく、その結果、草が噛み込んで絡まり易くなるという問題があった。これは、上記特許文献１〜３によっても解消されるものではなかった。
【０００６】
本発明の目的は、草の絡まりを抑制できる草刈刃、および草刈刃に取り付ける取付部材を提供することである。
【課題を解決するための手段】
【０００７】
上述した問題を解決するためになされた請求項１に記載の発明は、外周に複数の刃部を有する草刈機用の草刈刃であって、当該草刈刃の少なくとも一部には、外周に向かい下側に傾斜する傾斜面が形成されていることを特徴とする。
【０００８】
このように構成された草刈刃であれば、刃部により刈り取られた草や薙ぎ倒された草が、回転する草刈刃の傾斜面に接触した際に草刈刃の外側（半径方向の外側）方向に弾かれて飛ばされる。そのため草刈刃の上に草が乗りにくくなる結果、草同士が絡んだり、草刈機が草を巻き込んでしまうことを抑制できる。
【０００９】
なお、上述した傾斜面とは、曲面状であってもよいし、平面状であってもよい。
上述した刃部は、草刈刃の外周方向の端部に刃の形成されていない保護部が設けられていてもよい。
【００１０】
このように構成された草刈刃であれば、刃が草以外の石やコンクリート壁などに接触しにくくなるため、刃こぼれや刃の磨耗を抑制できる。
上述した保護部を設ける場合には、保護部が刃よりも前方に突出するように構成してもよい。
【００１１】
このように構成することで、刃が石などに接触することをより効果的に抑制することができる。また保護部によって草を刃側に案内して、効果的に草を刈り取ることができる。
なお、保護部が刃より前方に突出している構成の場合、上述したように保護部が草を刃側に案内するため、刈り取った草が草刈刃の中心側に集まりやすくなるが、本発明の草刈刃は傾斜面が形成されているため、草が中心側に集まることが抑制でき、刃の保護、草の効果的な刈り取り、および草の絡みつきの抑制を同時に達成することができる。
【００１２】
なお、刃の前方とは、換言すると草刈刃の回転方向である。
上述した保護部は、外周が曲面状に形成されていてもよい。このように構成することで、石などに接触したときの衝撃を小さくできるため、保護部が破損する危険の低減、回転する草刈刃に石などが強く弾かれることの抑制、およびコンクリート等の壁を破損させてしまうことの抑制などが達成できる。
【００１３】
なお、上述した傾斜面は、上述した刃部に形成されていてもよい。このように構成された草刈刃であれば、草を刈る刃の部分を用いて草を外側に飛ばすことができるため、草が絡むことを効果的に抑制できる。
【００１４】
なお、刃部が傾斜面となっている場合、刃部が平面状である場合よりも地面に接近しやすくなる。よって、先端に保護部が形成されている場合には、草刈刃が地面に埋もれたり、地面にある石などに接触しても刃が破損してしまうことなどが抑制でき都合がよい。
【００１５】
また、上述した問題を解決するためになされた請求項５に記載の発明は、草刈機に取り付けて用いられる取付部材であって、草刈刃の上面側において固定され、草刈刃と一体に回転する基部と、当該基部に連接され、草刈刃の外周に向かい下側に傾斜する傾斜面を有する傾斜部と、を有することを特徴とする。
【００１６】
このように構成された取付部材を草刈機に取り付けて用いると、上記請求項１に記載の草刈刃と同様に、刈り取られた草が草刈刃の上部に乗ってしまうことを抑制でき、草同士が絡んだり、草刈機が草を巻き込んでしまうことを抑制できる。
【００１７】
なお、取付部材は草刈機において回転駆動する回転駆動軸に取り付けられるものであってもよいし、上記回転駆動軸に取り付けられる草刈刃に取り付けられるものであってもよい。
【００１８】
上記取付部材を草刈刃に取り付ける方法は特に限定されないが、草刈刃が、平板状の本体部に貫通孔が形成されており、当該貫通孔を用いて草刈機の回転駆動軸と連結可能である場合に、取付部材の基部に、草刈刃の本体部の上面側に配置された際に、草刈刃の貫通孔に沿う孔部が形成されるように構成してもよい。
【００１９】
なお、回転駆動軸とは、草刈機に設けられる駆動源により回転する部材である。草刈刃を当該回転駆動軸に連結させることで、駆動源の回転力を草刈刃に伝達し、草刈りが可能となる。
【００２０】
このように構成された取付部材であれば、貫通孔を利用して草刈機に固定される草刈刃に対して、取付部材を草刈刃に重ねて貫通孔と孔部とを重ねることで草刈機に取り付けることができる。つまり、取付部材を取り付けるための部品などが不要になり、また簡便に取り付けを行うことができる。
【００２１】
請求項７に記載の発明は、上述した本発明の草刈刃を備える草刈機である。また請求項８に記載の発明は、上述した本発明の取付部材を備える草刈機である。
このような草刈機であれば、上記請求項１に記載の草刈刃を用いる場合と同様の効果を得ることができる。
【図面の簡単な説明】
【００２２】
【図１】草刈刃の平面図である。
【図２】草刈刃の斜視図である。
【図３】図１における草刈刃のＡ−Ａ断面図である。
【図４】図４（Ａ）が草刈刃を草刈機に取り付けた状態を示す側面図であり、図４（Ｂ）が草刈刃と草刈機との連結部分の拡大図である。
【図５】図５（Ａ），（Ｂ）が本発明の草刈刃を用いた場合の草刈時の草の状態を示す写真であり、図５（Ｃ），（Ｄ）が従来の草刈刃を用いた場合の草刈時の草の状態を示す写真である。
【図６】草刈機の使用状態を説明する模式的な図である。
【図７】図７（Ａ）が取付部材を示す斜視図であり、図７（Ｂ）が平板状の草刈刃を示す斜視図である。
【図８】図８（Ａ）が取付部材を草刈刃の上面側に配置した状態を示す斜視図であり、図８（Ｂ）が図８（Ａ）のＤ−Ｄ断面図である。
【図９】図９（Ａ）が変形例の斜視図であり、図９（Ｂ）が図９（Ａ）のＥ−Ｅ断面図である。
【発明を実施するための形態】
【００２３】
以下に本発明の実施形態を図面と共に説明する。
［実施例１］
（１）草刈刃の構成
本実施例の草刈刃１は、図４（Ａ）に示す草刈機３に取り付けて用いられるものであって、図１および図２に示すように、略円形の板状の本体部１１と、複数の刃部１３と、を有する。
【００２４】
本体部１１の中央には、草刈機３の後述する駆動軸３５に草刈刃１を取り付ける際に用いる貫通孔２１が形成されている。
刃部１３は本体部１１の外周から外側に延びだすように設けられている。本実施例では６個の刃部１３が等間隔に配置されている。
【００２５】
刃部１３は、回転方向（図１に示す矢印方向）側の端部に刃２３が設けられており、この刃２３にて草などを刈り取ることができる。刃部１３の先端、即ち草刈刃１の外周方向の端部には、刃２３の形成されていない保護部２５が設けられている。この保護部２５は、刃２３よりも前方側、即ち回転方向側に突出している。また、保護部２５はその外周の表面が刃２３から連続する滑らかな曲面状に形成されている。
【００２６】
草刈刃１の図１におけるＡ−Ａ断面図を図３に示す。草刈刃１は、貫通孔２１の周辺は比較的平坦であるが、外周側に向かうに連れて湾曲し、外周に向かい下側へ傾斜した傾斜面となっている。より具体的には、本体部１１は比較的なだらかに湾曲した傾斜面であり、本体部１１と刃部１３との連結箇所近傍は比較的急角度で湾曲する傾斜面となっている。傾斜面の角度は先端ほど大きくなるが、刃部１３の先端と、複数の刃部１３の先端が通過する平面Ｂと、がなす角度Ｃは、６０°以下の角度となるように形成される。
【００２７】
（２）草刈刃の草刈機への取り付け
草刈機３を図４（Ａ）に示す。なお図４（Ａ），（Ｂ）では、草刈刃１を理解を容易にするために断面図で示している。草刈機３は、エンジン３１、パイプシャフト３３、駆動軸３５、パイプシャフト３３の内部に配置される図示しない回転軸などを備える。エンジン３１は、パイプシャフト３３の内部の回転軸を回転させ、その回転力によって駆動軸３５が回転する。
【００２８】
草刈刃１と草刈機３との連結部分の拡大図を図４（Ｂ）に示す。草刈刃１は、駆動軸３５の先端（下端）を貫通孔２１に挿入した状態で、留め金具３７を挟み込んでボルト３９を駆動軸３５に締着することで固定され、駆動軸３５と一体に回転するようになる。
【００２９】
このように草刈刃１を取り付けた状態でエンジン３１を駆動させると、パイプシャフト３３の内部の回転軸および駆動軸３５が回転し、それに伴い草刈刃１が回転して、雑草などを刈り取ることができるようになる。
【００３０】
（３）効果
以上説明した本実施例の草刈刃１であれば、図４（Ｂ）に示すように、刃部１３により刈り取られた草や薙ぎ倒された草７が、回転する草刈刃１の傾斜面に接触した際に草刈刃１の外側（半径方向の外側）方向に弾き出される。
【００３１】
そのため草刈刃１の上に草が乗りにくくなる結果、草同士が絡んだり、草刈機３が草を巻き込んでしまうことを抑制できる。
図５（Ａ）〜（Ｄ）に、本発明の草刈刃の一例を用いて草刈を行う場合と、従来の平面的な草刈刃を用いた場合と、を撮影した写真を示す。本発明の草刈刃（図５（Ａ）、（Ｂ））では、草が草刈刃の上方に乗りにくいことがわかる。一方、従来の草刈刃（図５（Ｃ）、（Ｄ））では、草が草刈刃の上に多く乗っている（特に写真下側）。
【００３２】
また、上記実施例の草刈刃は、保護部２５によって刃２３が草以外の石やコンクリート壁などに接触しにくくなるため、刃こぼれや刃の磨耗を抑制できる。また、保護部２５が前方に突出していることから保護部２５により草を刃２３側に案内して、効果的に草を刈り取ることができる。
【００３３】
また保護部２５は外周が曲面状に形成されているため、石などに接触したときの衝撃を小さくでき、保護部２５が破損してしまう危険の低減、回転する草刈刃１に石などが強く弾かれることの抑制、およびコンクリート等の壁を破損させてしまうことの抑制などが達成できる。
【００３４】
ところで、コンクリート壁や電柱などの障害物付近に生える雑草を刈り取る際には、刃の方向を障害物に対してなるべく平行に近い方向（刃が鉛直に近い方向）として刃を雑草に当てることが望まれる。その方法の１つとしてパイプシャフト３３を立てる方法があるが、上記実施例の草刈刃１であれば、図６の障害物５の右側に示すように、刃２３が下方向へ傾斜しているため、その角度分、従来の草刈刃９よりもパイプシャフト３３を立てる角度を小さくすることができ、作業性が向上する。
【００３５】
従来の草刈刃９を用いると、図６の左側に示すようにパイプシャフト３３を大きく立てても刃の方向はあまり鉛直に近づかず、作業性が悪い。
なお、刃を障害物５に対して平行に近い方向として雑草７に刃を当てることで、刃が障害物５に当たって破損してしまうことを抑制でき、また多方向から刃を当てることで雑草７を効率よく刈ることができる。
【００３６】
ところで、上述したように刃が下方向に傾斜していることで障害物付近での作業性が向上するが、傾斜角度を大きくしすぎると平地での草刈り効率が低くなる。そのため、草刈刃１は、図３に示す刃部１３の先端と平面Ｂとがなす角度Ｃを、３０〜６０°の範囲とするとよい。傾斜角度をこのような範囲とすることで、傾斜面で草を弾き飛ばし絡まりを抑制しつつ、草刈りの効率を高く維持し、更に障害物付近での作業性を向上できる。障害物付近での作業性の向上に重点を置く場合には、４５〜６０°の範囲とするとよい。
【００３７】
もちろん、傾斜角度が３０°以下であっても、傾斜面が形成されていれば草の絡まりを抑制することができる。また、傾斜角度が６０°を超える場合であっても、やや草刈りの効率は劣るものの、草の絡まりを抑制しつつ草刈りを実行することができる。
【００３８】
［実施例２］
（１）取付部材の構成
本実施例の取付部材５１は、図４に示す草刈機３に取り付けて用いられるものであって、図７（Ａ）に示すように、平板状の基部５３と、基部５３の外周に連接される傾斜部５５と、を有する。草刈機３に用いられる草刈刃としては、例えば図７（Ｂ）に示す平板状の草刈刃６１を用いることができるが、これに限定されることはなく、様々な形状の草刈刃に適用できる。草刈刃６１には貫通孔６３が形成されており、貫通孔６３を用いて草刈機３の回転軸と連結可能となる。
【００３９】
取付部材５１の基部５３は、中央に孔部５７が形成されている。この孔部５７は、草刈刃６１の貫通孔６３とほぼ同形状であり、図８（Ａ）に示すように、取付部材５１を草刈刃６１の上面側に配置する際に、草刈刃６１の貫通孔６３に沿った位置とできるように、即ち孔部５７と貫通孔６３とが重なる位置に配置できるように構成されている。
【００４０】
傾斜部５５は、草刈刃６１の外周に向けて下側に傾斜する傾斜面５５ａを有する。
なお取付部材５１は、全体として草刈刃６１の直径よりも小さい径となっている。
（２）取付部材の草刈機への取り付け
取付部材５１を取り付ける際には、草刈刃６１が草刈機３から外された状態、即ち駆動軸３５から抜かれた状態で、取付部材５１の孔部５７に駆動軸３５を通し、その後、草刈刃６１の貫通孔６３に駆動軸３５を通して、留め金具３７およびボルト３９を用いて固定する。このように取り付けた状態を図８（Ｂ）に示す。
【００４１】
取付部材５１は、草刈刃６１と重ね合わされた状態で留め金具３７やボルト３９によって挟み込まれて固定される。よって、取付部材５１は草刈刃６１と連結して一体に回転する。
【００４２】
（３）効果
以上説明した取付部材５１を草刈機３に取り付けて用いると、上記実施例１に記載の草刈刃１と同様に、刈り取られた草が草刈刃の上部に乗ってしまうことを抑制でき、草同士が絡んだり、草刈機３が草を巻き込んでしまうことを抑制できる。
【００４３】
また上記実施例２の取付部材５１は、貫通孔６３を利用して草刈機３に固定される草刈刃６１に対して、取付部材５１を草刈刃６１に重ねて貫通孔２１と孔部５７とを重ねることで草刈機３に取り付けることができる。
【００４４】
つまり、取付部材５１を取り付けるための部品などが不要になり、また簡便に取り付けを行うことができる。さらに、従来から使用されている草刈機に対しても、草刈刃が草刈機への固定のための貫通孔を有するものであれば後から取り付けることができる。
【００４５】
［変形例］
以上、本発明の実施例について説明したが、本発明は、上記実施例に何ら限定されることはなく、本発明の技術的範囲に属する限り種々の形態をとり得ることはいうまでもない。
【００４６】
例えば、上記実施例１においては、本体部１１の外周と刃部１３とが傾斜面を形成する構成を例示したが、本体部１１および刃部１３のいずれか一部において傾斜面が形成されていればよい。なお、上記実施例１のように刃部１３が傾斜面を構成している構成であれば、刈った草を即座に外側に飛ばすことができるため、草が絡むことを効果的に抑制できる。
【００４７】
また上記実施例２において示した取付部材５１についても同様に、傾斜面の形成される位置は実施例２にて示した位置に限定されない。
また上記実施例２では、孔部５７を貫通孔６３に重ねてボルト３９で留めることで、取付部材５１を草刈刃６１と一体回転するように固定する構成を例示したが、他の方法によって取付部材５１を固定する構成であってもよい。例えば取付部材５１を草刈刃６１に固定するための固定具（ボルト、ファスナ、クランプ等）を用いて固定する構成であってもよい。また、取付部材５１は駆動軸３５に固定される構成であってもよい。
【００４８】
また、上記各実施例においては、図３または図８（Ｂ）に示すように、傾斜面は断面が湾曲した曲面状であり、また草刈刃の回転方向に沿う曲面状である構成を例示したが、そのいずれか一方または両方が平面状であってもよい。
【００４９】
また、図９（Ａ），（Ｂ）に示す草刈刃７１のように、刃７３は下方向に窪んだ溝部７５に設けられる構成であってもよい。このように刃７３を周囲より落とし込んで溝状に形成することで、雑草に刃７３が当たりやすくなり、雑草を効率よく刈り取ることができるようになる。
【符号の説明】
【００５０】
１…草刈刃、３…草刈機、５…障害物、７…雑草、９…草刈刃、１１…本体部、１３…刃部、２１…貫通孔、２３…刃、２５…保護部、３１…エンジン、３３…パイプシャフト、３５…駆動軸、３７…留め金具、３９…ボルト、５１…取付部材、５３…基部、５５…傾斜部、５５ａ…傾斜面、５７…孔部、６１…草刈刃、６３…貫通孔、７１…草刈刃、７３…刃、７５…溝部
【図１】
2013106576.tif 000003
【図２】
2013106576.tif 000004
【図３】
2013106576.tif 000005
【図４】
2013106576.tif 000006
【図６】
2013106576.tif 000007
【図７】
2013106576.tif 000008
【図８】
2013106576.tif 000009
【図９】
2013106576.tif 000010
【図５】
2013106576.tif 000011
【手続補正書】
【提出日】平成24年7月9日(2012.7.9)
【手続補正１】
【補正対象書類名】特許請求の範囲
【補正対象項目名】全文
【補正方法】変更
【補正の内容】
【特許請求の範囲】
【請求項１】
外周に複数の刃部を有する草刈機用の草刈刃であって、
当該草刈刃は、上面視で略円形形状であり、かつ、外周に向かい下側に湾曲する湾曲形状であって、
前記刃部の先端と、少なくとも３つの前記刃部の外周方向先端を通過する面と、がなす角度は３０°〜６０°の範囲である
ことを特徴とする草刈刃。
【請求項２】
前記刃部は、前記草刈刃の外周方向の端部に刃の形成されていない保護部が設けられている
ことを特徴とする請求項１に記載の草刈刃。
【請求項３】
前記刃部は、前記保護部が前記刃よりも前方に突出するように構成されている
ことを特徴とする請求項２に記載の草刈刃。
【請求項４】
請求項１から請求項３のいずれか１項に記載の草刈刃を備える草刈機。
【手続補正３】
【補正対象書類名】明細書
【補正対象項目名】０００６
【補正方法】変更
【補正の内容】
【０００６】
本発明の目的は、草の絡まりを抑制できる草刈刃を提供することである。
【手続補正４】
【補正対象書類名】明細書
【補正対象項目名】０００７
【補正方法】変更
【補正の内容】
【０００７】
上述した問題を解決するためになされた請求項１に記載の発明は、外周に複数の刃部を有する草刈機用の草刈刃であって、当該草刈刃は、上面視で略円形形状であり、かつ、外周に向かい下側に湾曲する湾曲形状であって、前記刃部の先端と、少なくとも３つの前記刃部の外周方向先端を通過する面と、がなす角度は３０°〜６０°の範囲であることを特徴とする。
【手続補正５】
【補正対象書類名】明細書
【補正対象項目名】０００９
【補正方法】変更
【補正の内容】
【０００９】
上述した刃部は、草刈刃の外周方向の端部に刃の形成されていない保護部が設けられていてもよい。
【手続補正６】
【補正対象書類名】明細書
【補正対象項目名】００１３
【補正方法】変更
【補正の内容】
【００１３】
なお、上述した傾斜面は、上述した刃部にも形成されている。このように構成された草刈刃であれば、草を刈る刃の部分を用いて草を外側に飛ばすことができるため、草が絡むことを効果的に抑制できる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
請求項４に記載の発明は、上述した本発明の草刈刃を備える草刈機である。
このような草刈機であれば、上記請求項１に記載の草刈刃を用いる場合と同様の効果を得ることができる。
【手続補正１４】
【補正対象書類名】明細書
【補正対象項目名】００３８
【補正方法】変更
【補正の内容】
【００３８】
［参考例１］
（１）取付部材の構成
本参考例の取付部材５１は、図４に示す草刈機３に取り付けて用いられるものであって、図７（Ａ）に示すように、平板状の基部５３と、基部５３の外周に連接される傾斜部５５と、を有する。草刈機３に用いられる草刈刃としては、例えば図７（Ｂ）に示す平板状の草刈刃６１を用いることができるが、これに限定されることはなく、様々な形状の草刈刃に適用できる。草刈刃６１には貫通孔６３が形成されており、貫通孔６３を用いて草刈機３の回転軸と連結可能となる。
【手続補正１５】
【補正対象書類名】明細書
【補正対象項目名】００４３
【補正方法】変更
【補正の内容】
【００４３】
また上記参考例１の取付部材５１は、貫通孔６３を利用して草刈機３に固定される草刈刃６１に対して、取付部材５１を草刈刃６１に重ねて貫通孔２１と孔部５７とを重ねることで草刈機３に取り付けることができる。
【手続補正１６】
【補正対象書類名】明細書
【補正対象項目名】００４７
【補正方法】変更
【補正の内容】
【００４７】
また上記参考例１において示した取付部材５１についても同様に、傾斜面の形成される位置は参考例１にて示した位置に限定されない。
また上記参考例１では、孔部５７を貫通孔６３に重ねてボルト３９で留めることで、取付部材５１を草刈刃６１と一体回転するように固定する構成を例示したが、他の方法によって取付部材５１を固定する構成であってもよい。例えば取付部材５１を草刈刃６１に固定するための固定具（ボルト、ファスナ、クランプ等）を用いて固定する構成であってもよい。また、取付部材５１は駆動軸３５に固定される構成であってもよい。
【手続補正１７】
【補正対象書類名】明細書
【補正対象項目名】００４８
【補正方法】削除
【補正の内容】